(57)【要約】【課題】  複数の波長を出射し、かつ戻り光ノイズを低減できるレーザ光源、および光ピックアップを提供する。【解決手段】  ＤＶＤとＣＤそれぞれの保護層の厚さの相違等に対応して、第１、第２の発光部それぞれでの第１、第２の実効屈折率ｎ１，ｎ２と第１、第２の共振器長Ｌ１，Ｌ２の積の差（ｎ１・Ｌ１−ｎ２・Ｌ２）を０．０６５ｍｍより大きくしている。このため、ＤＶＤおよびＣＤに対してレーザ光源の距離を適宜に設定して、第１、第２の発光部の双方について光ディスクとの距離（外部共振器長）と共振器長（内部共振器長）との関係を戻り光ノイズが少ない状態に保つことができる。【選択図】  図１
2005064387.tif 000002
【特許請求の範囲】
【請求項１】
第１の実効屈折率ｎ１で第１の共振器長Ｌ１の第１の光共振器と、前記第１の光共振器で発振された第１のレーザ光を出射する第１の発光点と、を有する第１の発光部と、
第２の実効屈折率ｎ２で第２の共振器長Ｌ２の第２の光共振器と、前記第２の光共振器で発振された第２のレーザ光を出射する第２の発光点と、を有する第２の発光部と、を具備し、
前記第１の実効屈折率と第１の共振器長の積と前記第２の実効屈折率と第２の共振器長の積との差（ｎ１・Ｌ１−ｎ２・Ｌ２）が０．０６５ｍｍより大きい
ことを特徴とするレーザ光源。
【請求項２】
前記第１の共振器長Ｌ１と前記第２の共振器長Ｌ２とが略等しい（Ｌ１≒Ｌ２）
ことを特徴とする請求項１記載のレーザ光源。
【請求項３】
第１の実効屈折率ｎ１で第１の共振器長Ｌ１の第１の光共振器と、前記第１の光共振器で発振された第１のレーザ光を出射する第１の発光点と、を有する第１の発光部と、
第２の実効屈折率ｎ２で第２の共振器長Ｌ２の第２の光共振器と、前記第２の光共振器で発振された第２のレーザ光を出射する第２の発光点と、を有する第２の発光部と、を具備し、
前記第１の実効屈折率と第１の共振器長の積と前記第２の実効屈折率と第２の共振器長の積との差（ｎ１・Ｌ１−ｎ２・Ｌ２）が０．０６５ｍｍより大きい
ことを特徴とする光ピックアップ。
【請求項４】
前記第１の共振器長Ｌ１と前記第２の共振器長Ｌ２とが略等しい（Ｌ１≒Ｌ２）
ことを特徴とする請求項３記載の光ピックアップ。
【発明の詳細な説明】
【技術分野】
【０００１】
本発明は、レーザ光源、および光ピックアップに関する。
【背景技術】
【０００２】
光ディスク装置では、半導体レーザから出射したレーザ光を光ディスク（光記録媒体）に照射することで光ディスクへの記録、再生を行っている。
このとき光ディスクで反射されたレーザ光が半導体レーザに戻ってくると、縦モード競合やモードホップ等により半導体レーザの状態が不安定になり、半導体レーザからノイズが発生する場合がある（いわゆる、戻り光ノイズの発生）。
このような戻り光ノイズを低減するために読み取り用の光ピックアップにおいて半導体レーザと光ディスクの距離を適宜に設定する技術が開示されている（特許文献１参照）。
【特許文献１】特開平１１−１６１８８号公報。
【発明の開示】
【発明が解決しようとする課題】
【０００３】
ところで、光ディスク装置には、ＣＤ（Compact Disc）、ＤＶＤ（Digital Versatile Disc）等の複数種別の光ディスク（光記録媒体）の記録、再生を可能とするため、複数の波長の光を出射する半導体レーザを備えるものがある。この半導体レーザには、半導体チップ上に互いに異なる波長の光を出射する複数の領域を近接して形成したものを用いることができる。この場合、複数の波長を出射する半導体レーザについて戻り光ノイズを低減する必要がある。
また、光ディスクへの記録時には再生時よりも強度の大きなレーザ光を用いるため、再生時よりも戻り光の影響が大きくなり易い。
以上に鑑み、本発明は複数の波長を出射し、かつ戻り光ノイズを低減できるレーザ光源、および光ピックアップを提供することを目的とする。
【課題を解決するための手段】
【０００４】
Ａ．本発明に係るレーザ光源は、第１の実効屈折率ｎ１で第１の共振器長Ｌ１の第１の光共振器と、前記第１の光共振器で発振された第１のレーザ光を出射する第１の発光点と、を有する第１の発光部と、第２の実効屈折率ｎ２で第２の共振器長Ｌ２の第２の光共振器と、前記第２の光共振器で発振された第２のレーザ光を出射する第２の発光点と、を有する第２の発光部と、を具備し、前記第１の実効屈折率と第１の共振器長の積と前記第２の実効屈折率と第２の共振器長の積との差（ｎ１・Ｌ１−ｎ２・Ｌ２）が０．０６５ｍｍより大きいことを特徴とする。
【０００５】
レーザ光源の戻り光ノイズを低減するには共振器長（内部共振器長）とレーザ光源と光ディスクとの距離（外部共振器長）との関係を適宜に設定する必要がある。ここでは、ＤＶＤとＣＤそれぞれの保護層の厚さの相違等に対応して、第１、第２の発光部それぞれでの第１、第２の実効屈折率ｎ１，ｎ２と第１、第２の共振器長Ｌ１，Ｌ２の積の差（ｎ１・Ｌ１−ｎ２・Ｌ２）を０．０６５ｍｍより大きくしている。このため、ＤＶＤおよびＣＤに対してレーザ光源の距離を適宜に設定して、第１、第２の発光部の双方について内部共振器長と外部共振器長の関係を戻り光ノイズが少ない状態に保つことができる。この結果、ＤＶＤ、ＣＤへの記録、再生を戻り光ノイズが少ない状態で行える。
【０００６】
ここで、前記第１の共振器長Ｌ１と前記第２の共振器Ｌ２とが略等しくてもよい（Ｌ１≒Ｌ２）。
第１、第２の共振器の共振器長を同一にすることで、第１、第２の共振器を一体的に形成することが容易になる。
【０００７】
Ｂ．本発明に係る光ピックアップは、第１の実効屈折率ｎ１で第１の共振器長Ｌ１の第１の光共振器と、前記第１の光共振器で発振された第１のレーザ光を出射する第１の発光点と、を有する第１の発光部と、第２の実効屈折率ｎ２で第２の共振器長Ｌ２の第２の光共振器と、前記第２の光共振器で発振された第２のレーザ光を出射する第２の発光点と、を有する第２の発光部と、を具備し、前記第１の実効屈折率と第１の共振器長の積と前記第２の実効屈折率と第２の共振器長の積との差（ｎ１・Ｌ１−ｎ２・Ｌ２）が０．０６５ｍｍより大きいことを特徴とする。
【０００８】
ＤＶＤおよびＣＤそれぞれに対応する第１、第２の発光部の双方について、内部共振器長と外部共振器長の関係を戻り光ノイズが少ない状態に保つことができる。この結果、ＤＶＤ、ＣＤへの記録、再生を戻り光ノイズが少ない状態で行える。
【０００９】
ここで、前記第１の共振器長Ｌ１と前記第２の共振器Ｌ２とが略等しくてもよい（Ｌ１≒Ｌ２）。
第１、第２の共振器の共振器長を同一にすることで、第１、第２の共振器を一体的に形成することが容易になる。
【発明の効果】
【００１０】
本発明によれば、複数の波長を出射し、かつ戻り光ノイズを低減できるレーザ光源、および光ピックアップを提供することができる。
【発明を実施するための最良の形態】
【００１１】
（第１実施形態）
図１は本発明の第１の実施形態に係る光ディスク再生装置１０を示す模式図である。
光ディスク再生装置１０は、光ピックアップ２０，光ピックアップ駆動部３０を備え、規格の異なる複数の光ディスクＤ（ＣＤ（Compact Disc）、ＤＶＤ（Digital Versatile Disc）等）への情報の記録、再生）（書き込み、読み出し）を行う。
光ピックアップ２０は、レーザダイオードＬＤ、グレーティング２１，ビームスプリッタＢＳ、コリメータレンズ２２、ミラーＭ、対物レンズ２３、アクチュエータ２４，光軸補正素子２５、検出レンズ２６、フォトダイオードＰＤを有し、光ディスクＤからの情報の読み出しを行う。
光ピックアップ駆動部３０は，光ピックアップ２０全体を移動（シーク等）するためのアクチュエータである。
【００１２】
レーザダイオードＬＤは、第１の波長（λ１）の第１のレーザ光、および第２の波長（λ２）の第２のレーザ光をそれぞれ出射するレーザ光源である。第１、第２の波長の例として、ＤＶＤの再生のための波長６５０ｎｍ、ＣＤの再生のための波長７８０ｎｍを挙げることができる。
【００１３】
図２（Ａ），（Ｂ）は、レーザダイオードＬＤの本体である半導体チップ４０の端面および側面方向の断面を表す断面図である。ここで、図２（Ｂ）の側面方向の断面は図２（Ａ）のＡ−Ａに沿ってレーザダイオードＬＤを切断した状態を表す。
半導体チップ４０は、ＤＶＤ用の第１の発光部たるレーザダイオードＬＤ１（発光波長６５０ｎｍ）とＣＤ用の第２の発光部たるレーザダイオードＬＤ２（発光波長７８０ｎｍ）とを１チップ上に搭載するモノリシックレーザダイオードである。
レーザダイオードＬＤ１、ＬＤ２は、ｎ型基板４１、ｎ型バッファ層４２上にそれぞれ構成される。なお、ｎ型基板４１の下面にはｎ電極４３が形成される。
【００１４】
レーザダイオードＬＤ１は、ｎ型バッファ層５１、ｎ型クラッド層５２、活性層５３、ｐ型クラッド層５４が積層され、さらにその上層の電流注入ストライプ領域にエッチングストップド層５５、ｐ型クラッド層５６、中間層５７、ｐ型コンタクト層５８、ｐ電極５９が積層されて構成される。一方、レーザダイオードＬＤ２は、ｎ型クラッド層６１、活性層６２、ｐ型クラッド層６３、絶縁層６４，ｐ型キャップ層６５、ｐ電極６６が積層して構成される。
【００１５】
レーザダイオードＬＤ１、ＬＤ２は、それぞれの両端面S１１，１２，Ｓ２１，２２を反射面とする共振器それぞれでレーザ発振を行ない、それぞれの端面Ｓ１１、Ｓ２１の発光点（活性層５３，６２それぞれの端点）から第１、第２の波長のレーザ光を出射する。それぞれの共振器での実効屈折率はｎ１，ｎ２で、共振器長は同一（Ｌ）である。
ここで、実効屈折率ｎ１，ｎ２、共振器長Lが次の式（１）のように設定される。
（ｎ１−ｎ２）・L  >  ０．０６５［ｍｍ］      ……  式（１）
式（１）は、レーザダイオードＬＤと光ディスクＤとの距離Ｌｄを適宜に設定することで、レーザダイオードＬＤ１、ＬＤ２の双方を戻り光ノイズが少ない状態に保つことが可能な条件である。この結果、光ディスクＤへの記録、再生を戻り光ノイズが少ない状態で行える。なお、式（１）の導出過程は後述する。
【００１６】
グレーティング２１は，入射する第１、第２のレーザ光それぞれを回折して、メインビーム（０次回折光）と２つのサブビーム（±１次回折光）に分割するための回折格子である。ビームを３つに分割することで、フォトダイオードＰＤにおいて差動プッシュプル信号（ＤＰＰ信号）を生成する。これをトラッキングエラー信号として用い、トラッキング制御を行える。
【００１７】
ビームスプリッタＢＳは、所定の偏光方向の光を通過し、この偏光方向と直交する偏光方向の光を反射する偏光素子であり、レーザダイオードＬＤから入射する第１、第２のレーザ光を反射し、光ディスクＤで反射された第１、第２のレーザ光を透過するように設定されている。
コリメータレンズ２２は、ビームスプリッタＢＳから出射された第１、第２のレーザ光を平行光に変換し、光ディスクＤから反射された第１、第２のレーザ光を収束光に変換する光学素子である。
ミラーＭは、第１、第２のレーザ光の方向を変える光学素子である。
【００１８】
対物レンズ２３は、第１、第２のレーザ光を光ディスクＤに集光し、光ディスクＤから反射されたレーザ光を平行光に変換するための光学素子である。
アクチュエータ２４は、対物レンズ２３を前後方向および光ディスクＤの径方向に移動させ、第１、第２のレーザ光の焦点合わせ（フォーカシング）、スポット位置の調節（トラッキング）を行う。
【００１９】
光軸補正素子２５は、レーザダイオードＬＤから出射された第１、第２のレーザ光の光路を光ピックアップ２０の光学系の光軸に対して補正し、第１、第２のレーザ光がフォトダイオードＰＤの略同一箇所に集光させるための光学素子である。第１、第２のレーザ光の発光点にはズレがあることから、例えば第１のレーザ光の発光点を光軸と一致させたときは、第２のレーザ光の発光点は光軸からずれる。従い、第１、第２のレーザ光は、フォトダイオードＰＤ上の異なった位置に集光される。このため、光軸補正素子２５によって第１、第２の波長それぞれで出射光の光路を調節し、フォトダイオードＰＤ上の略同一の位置に第１、第２のレーザ光が集光するようにしている。
【００２０】
図３は、光軸補正素子２５の一例としてのホログラム７０を表す側面図である。
ホログラム７０は、基板７１（屈折率：ｎ）および基板７１上に形成された複数の回折部７２を有する。回折部７２は、段差ｔの６段の階段形状をなしている。
回折部７２の段差ｔを適宜に設定することで、ホログラム７０を通過する第１、第２の波長の光をそれぞれ、０次回折光、１次回折光とすることができる。例えば、基板７１の屈折率ｎを１．５，段差ｔを１．３μｍとする。このとき、第１、第２の波長λ１，λ２の光それぞれの段で生じる位相差φ１，φ２（φ１＝２π（ｎ−１）ｔ／λ１、φ２＝２π（ｎ−１）ｔ／λ２）はそれぞれ２π、１０π／６となる。その結果、ホログラム７０を通過する第１、第２の波長の光それぞれがほぼ０次回折光、１次回折光となる。
【００２１】
０次回折光は回折作用を受けずそのままホログラム７０を通過する。一方、１次回折光は回折作用を受けて回折角だけ曲げられてホログラム７０を通過する。このように、ホログラム７０は、第１、第２の波長のレーザ光それぞれに異なる方向性を与えることができる（第１の波長のレーザ光：直進、第２の波長のレーザ光：回折角だけ曲げられる）。その結果、ホログラム７０（光軸補正素子２５）を通過した第１、第２の波長のレーザ光がフォトダイオードＰＤ上で同一位置に集光することになる。
【００２２】
検出レンズ２６は、第１、第２のレーザ光をフォトダイオードＰＤに集光するための光学素子である。
受光素子たるフォトダイオードＰＤは、光ディスクＤで反射された第１、第２のレーザ光を検出し、光ディスクＤからの情報の読み出しを行うための素子である。
フォトダイオードＰＤは、レーザ光がグレーティング２１によってメインビームと２つのサブビームに分割されていることに対応して、これら３つのビームそれぞれを独立に検出できるように検出領域が区分されている。３つのビームそれぞれを検出し、演算することで、差動プッシュプル法（ＤＰＰ法）によるトラッキングエラー信号（差動プッシュプル信号：ＤＰＰ信号）の生成がなされる。
【００２３】
（実効屈折率ｎ１，ｎ２及び共振器長Ｌの関係を表す式（１）の導出方法）
以下、実効屈折率ｎ１，ｎ２及び共振器長Ｌの関係を表す式（１）の導出過程について説明する。レーザダイオードＬＤ１、ＬＤ２は、１つの基板上に一体的に形成されている（モノリシック）ことから、それぞれの共振器長は同一（Ｌ）であるが、ここではそれぞれの共振器長をＬ１，Ｌ２として説明する。
一般に、レーザー光源の戻り光ノイズはその発光点からディスクＤの反射面までの光路長（距離と屈折率の積）Ｌ０がレーザー光源の実効屈折率ｎと共振器長Ｌｒの積ｎ・Ｌｒに対して、次の式（２）の条件を満たすときに大きく現れる。
Ｌ０  ＝  ｉ・ｎ・Ｌｒ／２                ……  式（２）
ここで、ｉ：整数である。
【００２４】
式（２）の適用に際し、次の１）〜２）を考慮する必要がある。
１）ディスクＤの面ぶれなどによって、発光点からディスクＤの反射面までの光路長Ｌ０が変動する。このため、光路長Ｌ０の設定に際し、そのマージンを確保する必要がある。
２）レーザダイオードＬＤは、レーザダイオードＬＤ１、ＬＤ２を同一基板上（広く見れば、同一パッケージ内）に集約していることから、第１、第２の波長の発光点が近接して配置される。
一方、光ディスクの種別によって保護層の厚さが異なる。例えば、ＤＶＤでの保護層の厚さＴｄｖｄとＣＤでの保護層の厚さＴｃｄはそれぞれ０．６ｍｍ、１．２ｍｍである。このため、ＤＶＤ、ＣＤでの保護層の屈折率Ｎｄｖｄ、Ｎｃｄをそれぞれ１．５５，１．５６とすると、それぞれの発光点からディスクＤの反射面までの光路長Ｌ０は絶対値で０．９４２ｍｍ（＝｜１．５５・０．６  −  １．５６・１．２｜）の相違がある。言い換えれば、ＤＶＤとＣＤの光路長をそれぞれＬ０１、Ｌ０２とするとき、これらの間に次の式（３）の関係が成立する。
Ｌ０１  −０．９４２  ＝Ｌ０２            ……  式（３）
【００２５】
ここで、光ディスクＤがＤＶＤ、ＣＤについてレーザ光源としてレーザダイオードＬＤ１、ＬＤ２をそれぞれ用いて記録、再生を行う場合を考える。
以下、前述の１）、２）を考慮して、レーザダイオードＬＤ１、ＬＤ２それぞれの実効屈折率ｎ１，ｎ２と共振器長Ｌ１，Ｌ２の条件を求める。
ＤＶＤの面ぶれのマージンを±０．５ｍｍとすると、式（２）から、レーザダイオードＬＤ１の戻り光ノイズを避けるためにはその発光点からディスクＤ（ＤＶＤ）の反射面までの光路長Ｌ０１の満たすべき条件は次の式（４）で表される（ｊ：整数）。
ｊ・ｎ１・Ｌ１／２＋０．５  <  Ｌ０１  <（ｊ＋1）・ｎ１・Ｌ１/２−０．５
……  式（４）
ＣＤの面ぶれのマージンを±０．７ｍｍとすると、式（２）から、レーザダイオードＬＤ２の戻り光ノイズを避けるためにはその発光点からディスクＤ（ＣＤ）の反射面までの光路長Ｌ０２の満たすべき条件は次の式（５）で表される（ｋ：整数）。
ｋ・ｎ２・Ｌ２／２＋０．７  <  Ｌ０２  <（ｋ＋1）・ｎ２・Ｌ２/２−０．７
……  式（５）
【００２６】
ここで、式（３）から式（４）は次の式（６）に変形できる。
ｊ・ｎ１・Ｌ１／２＋０．５  <  Ｌ０２−０．９４２
<（ｊ＋1）・ｎ１・Ｌ１/２−０．５    ……  式（６）
【００２７】
式（５）の左辺と式（６）の右辺の両方が成立することから、次の式（７）が成立する（ｍ：整数）。
ｍ・ｎ２・Ｌ２／２＋０．７  <  Ｌ０２  <ｍ・ｎ１・Ｌ１/２−０．５＋０．９４２
……  式（７）
式（７）は次の式（８）が成立することを意味する。
ｍ・ｎ２・Ｌ２／２＋０．７  <ｍ・ｎ１・Ｌ１/２＋０．４４２  ……  式（８）
【００２８】
以下、式（８）でのｍの適切な値の範囲を決定するための条件を考慮する。
まず、式（４）、（５）それぞれから次の式（９）、（１０）が得られる。
ｎ１・Ｌ１  >  ２．０                              ……  式（９）
ｎ２・Ｌ２  >  ２．８                              ……  式（１０）
【００２９】
光ディスクＤに焦点（フォーカス）を合わせるときの対物レンズ２３の移動範囲（ワーキング距離）を考慮すると、対物レンズ２３の焦点距離は最小でも１．５ｍｍ程度と考えられる。また、ＤＶＤへの記録、再生を行う場合、対物レンズ２３の焦点距離に比べコリメーターレンズ２２の焦点距離としては最小でも５倍程度は必要と考えられる（最小でも、１．５・５＝７．５ｍｍ）。更に、対物レンズ２３とミラーＭの間、およびミラーＭとコリメーターレンズ２２との間にある程度の間隔が必要である。以上から、レーザダイオードＬＤ２と光ディスクＤ（ＣＤ）の記録面との間の光路長Ｌ０２は最小でも１２ｍｍ程度は必要となる。
【００３０】
最小の光路長Ｌ０２が１２ｍｍ程度であること、および式（９）、（１０）から、式（８）でのｍの最小値が８程度であることが判る。
そこで、式（８）のｍに８を代入することで、実効屈折率ｎ１，ｎ２及び共振器長Ｌ１，Ｌ２の関係を表す次の式（１１）得られる。
ｎ１・Ｌ１−ｎ２・Ｌ２ > ０．０６５［ｍｍ］          ……  式（１１）
以上から判るように、式（１１）の条件を満たすレーザー光源を使用することで、レーザーの戻り光ノイズの発生を抑えることができる。
【００３１】
１つのパッケージの半導体レーザから２つの波長のレーザ光を出射するには２つの手法がある。その１つは半導体レーザ用の半導体チップ２つを別々に作成し、パッケージする際にこれらをマウントするハイブリッド（Hybrid）方式である。もう１つは、一つの半導体チップ上に２つの発光部を形成するするモノリシック（monolithic）方式である。
ハイブリッド方式では２つの波長それぞれに対応する共振器の共振器長を異ならせることが容易である。このため、式（１１）の関係を満たすことで、半導体レーザーの戻り光ノイズを抑えることができる。
本実施形態の半導体レーザＬＤはモノリシック方式であるため、２つの半導体レーザＬＤ１，ＬＤ２の共振器長は同一の値Ｌとなっている。従い、式（１１）にＬ１＝Ｌ２＝Ｌを代入することで、半導体レーザーＬＤ１，ＬＤ２双方の戻り光ノイズを抑えることができる関係式が導出され、これが式（１）に相当する。
【００３２】
（光ピックアップ２０の動作）
光ピックアップ２０の再生動作を説明する。ここで、第１、第２のレーザ光は、光ディスクＤの種別等に応じてそのどちらか一方のみが出射されるのが通例であるが、判り易さのために第１、第２のレーザ光を対比して説明する。
【００３３】
（１）レーザダイオードＬＤから出射された第１、第２のレーザ光は、グレーティング２１によって３つのビームに分割される。３つのビームは、ビームスプリッタＢＳで反射され、コリメータレンズ２２に入射して、平行光に変換される。
（２）その後、第１、第２のレーザ光は、ミラーＭで反射され、対物レンズ２３に入射し、光ディスクＤ上に集光される。例えば、第１のレーザ光はＤＶＤに第２のレーザ光はＣＤに集光される。
【００３４】
（３）光ディスクＤで反射された第１、第２のレーザ光は対物レンズ２３、ミラーＭ、コリメータレンズ２２を経て、ビームスプリッタＢＳを透過する。
このとき、第１、第２のレーザ光それぞれのサブビームは、その全光量がビームスプリッタＢＳを透過するのではなく、光量の一部がビームスプリッタＢＳで反射され、グレーティング２１を通過して、レーザダイオードＬＤに戻ってくる。サブビームが回折光（１次回折光）であるために、回折光ではない（０次回折光）メインビームと偏光状態が異なるためである。
【００３５】
ここで、レーザダイオードＬＤ１，ＬＤ２それぞれに自分自身が出射した第１、第２のレーザ光の一部が戻り光となり再入射すると仮定する。この場合でも、再入射した戻り光は式（１）の条件を満たし、従い式（４）、（５）の双方が成立するように光路長Ｌ０１，Ｌ０２を設定することが可能である。このため、レーザダイオードＬＤ１，ＬＤ２の双方で戻り光ノイズを抑えることができる。
【００３６】
（４）ビームスプリッタＢＳを透過した第１、第２のレーザ光は、光軸補正素子２５によって光路が補正され、検出レンズ２６を経て、フォトダイオードＰＤに入射する。第１、第２のレーザ光は、光軸補正素子２５によって、フォトダイオードＰＤ上の同じ位置に集光される。フォトダイオードＰＤから３つのビームに対応する信号が出力され、この３つの出力を演算することでＤＰＰ信号が生成され、光ピックアップ２０のトラッキング制御を行える。
【００３７】
このとき、レーザダイオードＬＤ１，ＬＤ２からの戻り光ノイズが低減されているため、フォトダイオードＰＤから出力される信号（再生信号やＤＰＰ信号）をノイズの低い（Ｓ／Ｎ比の高い）状態に保つことができる。
【００３８】
以上、光ピックアップ２０の再生動作を説明した。
光ピックアップ２０が記録動作をする場合にもレーザダイオードＬＤ１，ＬＤ２からの戻り光ノイズが低減されているため、光ディスクＤへの記録がＳ／Ｎ比の高い状態で行える。レーザダイオードＬＤ１，ＬＤ２の戻り光ノイズが低減されることは、再生を行う場合とほぼ同様であるので詳細な説明を省略する。
【００３９】
以上のように本実施形態では、２つの光源（レーザダイオードＬＤ１，ＬＤ２）が１つのパッケージに収められたレーザ光源（レーザダイオードＬＤ）を戻り光ノイズが低減された状態で使用することが出来る。
このため、分離された２つのレーザー光源を使用する場合に比較して、（１）光源の個数、サイズを低減でき、また（２）２つの波長を合成するためのビームスプリッターを省略できる。以上のように、部品点数を低減し、光ピックアップの低サイズ化を図ることができる。
【図面の簡単な説明】
【００４０】
【図１】本発明の第１の実施形態に係る光ディスク再生装置を示す模式図である。
【図２】レーザダイオードの本体である半導体チップの端面および側面方向の断面を表す断面図である。
【図３】光軸補正素子の一例としてのホログラムを表す側面図である。
【符号の説明】
【００４１】
１０  光ディスク再生装置
２０  光ピックアップ
２１  グレーティング
２２  コリメータレンズ
２３  対物レンズ
２４  アクチュエータ
２５  光軸補正素子
２６  検出レンズ
３０  光ピックアップ駆動部
Ｄ  光ディスク
ＬＤ  レーザダイオード
Ｍ  ミラー
ＰＤ  フォトダイオード
【図１】
2005064387.tif 000003
【図２】
2005064387.tif 000004
【図３】
2005064387.tif 000005